(57)【要約】【課題】携帯通信装置の携帯者の行動（移動）のパターンに応じた設定値を自動的に設定する。【解決手段】画像形成システムは携帯通信装置と画像形成装置を含む。携帯通信装置は、画像形成装置と通信可能になったとき、画像形成装置と通信可能になるまでの携帯者の移動経路を示す現在経路データを確認する。携帯通信装置は、記憶する設定情報のうち、経路データが現在経路データと同じ設定情報を抽出する。携帯通信装置は抽出した設定情報に含まれる設定値データを画像形成装置に送信する。携帯通信装置は送信した設定値データに基づき、各設定項目の設定値を画像形成装置に設定させる。【選択図】図８
2019046402.tif 000002
【特許請求の範囲】
【請求項１】
携帯通信装置と画像形成装置を含み、
前記携帯通信装置は、前記携帯通信装置の携帯者の移動の履歴を示す移動履歴データと設定情報を記憶し、
前記設定情報は、経路データと設定値データを組み合わせたデータであり、
前記経路データは、前記画像形成装置で前記携帯者が前記画像形成装置に到達するまでの移動経路を示し、
前記設定値データは、ジョブの各設定項目の設定値を示し、
前記携帯通信装置は、
無線により前記画像形成装置と通信し、
前記携帯者が前記画像形成装置に近づいたことにより、前記画像形成装置との通信可能エリアに入ったとき、前記移動履歴データに基づき、前記画像形成装置と通信可能になるまでの前記携帯者の移動経路を示す現在経路データを確認し、
記憶する前記設定情報のうち、前記経路データが前記現在経路データと同じ前記設定情報を抽出し、
抽出した前記設定情報に含まれる前記設定値データを前記画像形成装置に送信し、
送信した前記設定値データに基づき、各前記設定項目の前記設定値を前記画像形成装置に設定させることを特徴とする画像形成システム。
【請求項２】
前記設定値データの受信後、ジョブが実行されたとき、
前記画像形成装置は、前記携帯通信装置に向けてジョブ設定値データを送信し、
前記ジョブ設定値データは、実行されたジョブの各設定項目の設定値を示すデータであり、
前記携帯通信装置は、
前記ジョブ設定値データを受信したとき、前記現在経路データと前記経路データが同じであり、かつ、受信した前記ジョブ設定値データと前記設定値データが同じ前記設定情報である同一情報を記憶しているか否かを確認し、
前記同一情報を記憶しているとき、前記同一情報の使用頻度値を加算し、
前記画像形成装置と通信可能になったとき、抽出した前記設定情報のそれぞれの前記使用頻度値を前記画像形成装置に送信し、
前記使用頻度値が最大の前記設定値データに基づき、各前記設定項目の前記設定値を前記画像形成装置に設定させることを特徴とする請求項１に記載の画像形成システム。
【請求項３】
前記同一情報が記憶されていないとき、
前記携帯通信装置は、前記現在経路データを前記経路データとし、受信した前記ジョブ設定値データを前記設定値データとする前記設定情報を新たに記憶することを特徴とする請求項２に記載の画像形成システム。
【請求項４】
前記携帯通信装置は、
前記現在経路データと前記経路データが同じ前記設定情報を複数記憶しているとき、複数の前記設定情報を抽出し、
抽出した複数の前記設定情報の前記設定値データを前記画像形成装置に送信し、
前記画像形成装置は、
操作パネルを含み、
複数の前記設定値データを受信したとき、使用する前記設定値データを選択するための画面を前記操作パネルに表示させ、
前記操作パネルで選択された前記設定値データに基づき、各前記設定項目の前記設定値を設定することを特徴とする請求項１乃至３の何れか１項に記載の画像形成システム。
【請求項５】
前記操作パネルは、選択された前記設定値データにより設定される設定値を表示することを特徴とする請求項４に記載の画像形成システム。
【請求項６】
前記操作パネルは、用いる前記設定値データを切り替える切替操作を受け付け、
前記切替操作がなされたとき、
前記画像形成装置は、前記切替操作により新たに選択された前記設定値データに基づき、各前記設定項目の前記設定値を設定することを特徴とする請求項４又は５に記載の画像形成システム。
【請求項７】
前記携帯通信装置は、
前記携帯者の移動に伴い新たに通信可能になった無線機器を認識し、
新たに通信可能になった前記無線機器と通信し、
前記無線機器の識別用情報を取得し、
取得順に前記識別用情報を並べたデータを前記移動履歴データとして記憶することを特徴とする請求項１乃至６の何れか１項に記載の画像形成システム。
【請求項８】
携帯通信装置の携帯者の移動の履歴を示す移動履歴データと設定情報を記憶する記憶する記憶部と、
無線により画像形成装置と通信する無線通信部と、
処理部と、を含み、
前記設定情報は、経路データと設定値データを組み合わせたデータであり、
前記経路データは、前記画像形成装置で前記携帯者がジョブを実行したときに前記画像形成装置に到達するまでの移動経路を示し、
前記設定値データは、ジョブにおける各設定項目の設定値を示し、
前記処理部は、
前記携帯者が前記画像形成装置に近づいたことにより、前記画像形成装置との通信可能エリアに入ったとき、前記移動履歴データに基づき、前記通信可能エリアに入るまでの前記携帯者の移動経路を示す現在経路データを確認し、
記憶する前記設定情報のうち、前記経路データが前記現在経路データと同じ前記設定情報を抽出し、
前記画像形成装置にむけて、抽出した前記設定情報に含まれる前記設定値データを前記無線通信部に送信させ、
前記設定値データに基づき、各前記設定項目の前記設定値を前記画像形成装置に設定させることを特徴とする携帯通信装置。
【発明の詳細な説明】
【技術分野】
【０００１】
本発明は、画像形成装置と携帯通信装置を含む画像形成システムに関する。また、本発明は、画像形成装置と通信する携帯通信装置に関する。
【背景技術】
【０００２】
携帯端末が普及している。携帯端末は、例えば、携帯電話である。携帯端末で画像形成装置の設定を行えるようにすることがある。このような携帯端末を利用して画像形成装置の設定を行う技術の一例が特許文献１に記載されている。
【０００３】
具体的に、特許文献１には、非接触無線通信を行い、対象機器により実行される機能の設定情報を設定し、設定された設定情報を格納し、格納された設定情報を非接触無線通信により対象機器に送信する携帯端末が記載されている。この構成により、機能の設定情報を登録しておき、携帯端末を対象機器に近づけるだけで、設定情報を所望の機器に設定できるようにしようとする（特許文献１：請求項１、段落［０００６］等参照）。
【先行技術文献】
【特許文献】
【０００４】
【特許文献１】特開２０１５−０９９５６５号公報
【発明の概要】
【発明が解決しようとする課題】
【０００５】
近年、画像形成装置の高機能化が進んでいる。画像形成装置には、様々な設定項目が用意される。使用者は、所望の結果を得られるように、設定項目を選択する。使用者は、所望の結果が得られるように、選択した設定項目の設定値を設定する。例えば、両面印刷の印刷物を得たい場合、使用者は、両面印刷の設定項目を選択する。そして、使用者は、両面印刷を有効とする設定値を設定する。
【０００６】
所望のジョブを１つだけ実行させる、メモリーの記憶容量を少なくする、といった観点から、従来、携帯端末に登録できる設定情報の数は限られる。特許文献１記載の技術では、登録できる設定情報の数は、１機種につき１つである。同じ機種の設定情報が既に保存されているとき、新たに作成された設定情報は、古い設定情報が記憶された領域に上書き保存される（引用文献１：段落［００３８］）。
【０００７】
使用者が設定したい設定値は時と場合により異なる。ジョブを実行する場合、設定値が常に同じとは限らない。携帯端末に登録した設定情報では、所望の結果が得られないことがある。この場合、使用者は操作パネルに設定操作を行う。例えば、使用者は、必要な設定値を追加する操作を行う。また、使用者は不適切な設定値を訂正する操作を行う。携帯端末に登録できる設定情報が１つだけの場合、使用者の操作負担を軽減できないことが多いという問題がある。
【０００８】
携帯端末に複数の設定情報を登録することは考えられる。しかし、複数の設定情報を登録する場合、使用目的にあった適切な設定情報を選択する必要があるという問題がある。使用者に設定情報を選択させれば、使用者の操作負担が増える。
【０００９】
上述のように、特許文献１記載の技術では、１機種につき、１つの設定情報のみ登録することができる。従って、上記の問題を解決することはできない。
【００１０】
本発明は、上記従来技術の問題点に鑑み、携帯通信装置の携帯者の行動（移動）のパターンに応じ、携帯者の所望の結果が得られるように、ジョブに関する設定値を自動的に設定する。
【課題を解決するための手段】
【００１１】
本発明に係る画像形成システムは、携帯通信装置と画像形成装置を含む。前記携帯通信装置は、前記携帯通信装置の携帯者の移動の履歴を示す移動履歴データと設定情報を記憶する。前記設定情報は、経路データと設定値データを組み合わせたデータである。前記経路データは、前記画像形成装置で前記携帯者が前記画像形成装置に到達するまでの移動経路を示す。前記設定値データは、ジョブの各設定項目の設定値を示す。前記携帯通信装置は、無線により前記画像形成装置と通信する。前記携帯者が前記画像形成装置に近づいたことにより前記画像形成装置との通信可能エリアに入ったとき、前記携帯通信装置は、前記移動履歴データに基づき、前記画像形成装置と通信可能になるまでの前記携帯者の移動経路を示す現在経路データを確認する。前記携帯通信装置は、記憶する前記設定情報のうち、前記経路データが前記現在経路データと同じ前記設定情報を抽出する。前記携帯通信装置は、抽出した前記設定情報に含まれる前記設定値データを前記画像形成装置に送信する。前記携帯通信装置は、送信した前記設定値データに基づき、各前記設定項目の前記設定値を前記画像形成装置に設定させる。
【発明の効果】
【００１２】
本発明によれば、携帯通信装置の携帯者の行動（移動）のパターンに応じ、ジョブに関する設定値を自動的に設定することができる。携帯者の所望の結果が得られるように、ジョブに関する設定値を自動的に設定することができる。
【図面の簡単な説明】
【００１３】
【図１】実施形態に係る画像形成システムの一例を示す図である。
【図２】実施形態に係る携帯通信装置の一例を示す図である。
【図３】実施形態に係る画像形成装置の一例を示す図である。
【図４】実施形態に係る移動履歴データの記憶の一例を説明するための図である。
【図５】実施形態に係る携帯通信装置での移動履歴データの記憶の一例を示す図である。
【図６】実施形態に係る画像形成システムでの設定情報の蓄積の流れの一例を示す図である。
【図７】実施形態に係る携帯通信装置から画像形成装置への設定値データの送信の流れの一例を示すフローチャートである。
【図８】実施形態に係る画像形成装置の設定値データの受信時の処理の流れの一例を示す図である。
【図９】実施形態に係る設定値データ選択画面の一例を示す図である。
【図１０】実施形態に係る設定値データの切替の一例を示す図である。
【発明を実施するための形態】
【００１４】
以下、図１〜図１０を用いて、本発明の実施形態に係る携帯通信装置１、画像形成装置２、及び、画像形成システム１００を説明する。但し、本実施の形態に記載されている構成、配置等の各要素は、発明の範囲を限定するものではなく単なる説明例にすぎない。なお、以下の説明では、携帯通信装置１を携帯する者を携帯者と称する。
【００１５】
（画像形成システム１００）
図１を用いて、実施形態に係る画像形成システム１００の一例を説明する。図１は、実施形態に係る画像形成システム１００の一例を示す図である。
【００１６】
図１に示すように、画像形成システム１００は、携帯通信装置１と画像形成装置２を含む。携帯通信装置１は、使用者に携帯（所持）される。携帯通信装置１は使用者とともに移動する。図１に示すように、スマートフォンを携帯通信装置１として用いる例を説明する。なお、携帯通信装置１は、スマートフォンに限られない。携帯通信装置１は、タブレット型コンピューターでもよいし、ノートＰＣでもよいし、ヘッドマウントディスプレイ１２でもよい。携帯され、他の通信機器と通信する機能を有しているものを携帯通信装置１として利用することができる。
【００１７】
また、以下の説明では、複合機を画像形成装置２として用いる例を説明する。なお、画像形成装置２は複合機に限られない。画像形成装置２は、プリンターや複写機でもよい。そして、画像形成装置２（複合機）で実行可能なジョブは複数種類ある。例えば、コピージョブ、スキャン保存ジョブ、スキャン送信ジョブ、メモリー接続印刷ジョブを行うことができる。コピージョブは、原稿読み取りで得られた画像データに基づき印刷するジョブである。コピージョブは、原稿の複写物を得るためのジョブである。スキャン保存ジョブは、原稿読み取りで得られた画像データを複合機のストレージに記憶するジョブである。スキャン送信ジョブは、原稿読み取りで得られた画像データを設定された宛先に向けて送信するジョブである。メモリー接続印刷ジョブは、複合機に接続された携帯型メモリーからデータを読み出し、読み出したデータに基づき印刷を行うジョブである。携帯型メモリーは、例えば、ＵＳＢメモリーやメモリーカードである。
【００１８】
（携帯通信装置１）
次に、図２を用いて、実施形態に係る携帯通信装置１の一例を説明する。図２は、実施形態に係る携帯通信装置１の一例を示す図である。
【００１９】
携帯通信装置１は、処理部１０、第１記憶部１１、ディスプレイ１２、タッチパネル１３、撮像部１４、音声処理部１５、マイクロフォン１６、再生処理部１７、スピーカー１８、無線通信部１９を含む。
【００２０】
処理部１０は、携帯通信装置１の動作を制御する回路である。処理部１０は、ＣＰＵ１０ａや画像処理回路１０ｂを含む。処理部１０は、ＯＳ、プログラム、アプリケーション、データに基づき、携帯通信装置１の動作を制御する。画像処理回路１０ｂは、画像データの画像処理を行う。
【００２１】
第１記憶部１１はＲＯＭ、ＲＡＭ、フラッシュメモリーを含む。第１記憶部１１は、携帯通信装置１のＯＳ、プログラム、アプリケーション、データを不揮発的に記憶する。処理部１０は、第１記憶部１１の記憶内容に従って、携帯通信装置１の各部を制御する。タッチパネル１３を通じた使用者のアプリケーションの起動要求に応じ、処理部１０は、第１記憶部１１からアプリケーションを第１記憶部１１に読み出し、実行する。
【００２２】
アプリケーションとして、自動設定アプリケーション１１ａが第１記憶部１１にインストールされる。第１記憶部１１は、自動設定アプリケーション１１ａを不揮発的に記憶する。自動設定アプリケーション１１ａは、携帯者が画像形成装置２に近づいたとき、画像形成装置２の設定を自動的に行うためのアプリケーションである（詳細は後述）。
【００２３】
ディスプレイ１２は、処理部１０からの要求に従い各種情報を表示する。ディスプレイ１２は、液晶パネルや有機ＥＬパネルのような表示パネル２１ａである。ディスプレイ１２は、操作用画像を表示する。操作用画像は、例えば、アイコン、ボタン、キー、タブである。タッチパネル１３は処理部１０と接続される。処理部１０は、タッチパネル１３の出力に基づき、タッチ位置を認識し、操作された（タッチされた）操作用画像を認識する。アイコンやボタンやキーを押すことにより、使用者は、アプリケーションの起動及び利用することができる。
【００２４】
撮像部１４は、携帯通信装置１に設けられたカメラである。撮像部１４は、画像データ又は動画データを生成する。撮像部１４による撮影により得られたデータは、第１記憶部１１に記憶される。音声処理部１５は、マイクロフォン１６から入力された音声を無線通信部１９から送信できる形態に変換する信号処理を行う。再生処理部１７は、無線通信部１９で受信した相手方からの音（声）のデータをスピーカー１８に再生させる。また、再生処理部１７は、第１記憶部１１に記憶された音のデータをスピーカー１８に再生させることもできる。
【００２５】
無線通信部１９は近距離無線通信を行うための回路、ソフトウェアを含む。無線通信部１９は処理部１０の指示に応じて、通信可能距離内にある無線機器２００と通信する。無線通信部１９（携帯通信装置１）は、近距離無線通信により、画像形成装置２とも通信できる。例えば、無線通信部１９は、ＩＥＥＥ  ８０２．１１シリーズ（Ｗｉ−Ｆｉ）の規格に基づく通信を行える。また、例えば、無線通信部１９は、Ｂｌｕｅｔｏｏｔｈ（登録商標）の規格に基づく通信も行える。無線通信部１９は、通信規格に基づいて通信を行うためのハードウェア（通信回路）、通信ソフトウェアを備える。無線通信部１９は、他の通信規格に基づく通信を行えてもよい。
【００２６】
（画像形成装置２）
図３を用いて、実施形態に係る画像形成装置２の一例を説明する。図３は、実施形態に係る画像形成装置２の一例を示す図である。
【００２７】
図３に示すように、画像形成装置２は、制御部２０、操作パネル２１、画像読取部２２、印刷部２３、通信部２４、メモリーインターフェイス２５、カメラ２６を含む。
【００２８】
制御部２０は画像形成装置２の動作を制御する。制御部２０は、ＣＰＵ２０ａ、画像処理部２０ｂ、第２記憶部２０ｃを含む。第２記憶部２０ｃは、画像形成装置２を制御するためのデータ、設定、プログラムを記憶する。ＣＰＵ２０ａは、第２記憶部２０ｃに記憶されるプログラム、データに基づき画像形成装置２を制御する。画像処理部２０ｂは画像データを処理する回路を含む。画像処理部２０ｂは、画像データを処理し、ジョブに用いる画像データを生成する。
【００２９】
原稿を読み取るジョブ（コピージョブ、スキャン保存ジョブ、スキャン送信ジョブ）のとき、制御部２０は、原稿を画像読取部２２に読み取らせる。画像読取部２２は、原稿の画像データを生成する。
【００３０】
操作パネル２１は使用者の設定操作を受け付ける。操作パネル２１は、表示パネル２１ａ、タッチパネル２１ｂ、ハードキー２１ｃを含む。表示パネル２１ａは、液晶パネル又は有機ＥＬパネルである。制御部２０は、設定画面や操作用画像を表示パネル２１ａに表示させる。操作用画像は、例えば、ボタン、ソフトキー、タブである。使用者は、表示パネル２１ａに表示された操作用画像を操作（タッチ）する。これにより、使用者は、画像形成装置２の各種設定を入力できる。
【００３１】
タッチパネル２１ｂは表示パネル２１ａの上面に設けられる。タッチパネル２１ｂは使用者がタッチした位置、座標を検知する。タッチパネル２１ｂは使用者の操作を受け付ける。タッチパネル２１ｂの出力は、制御部２０に入力される。制御部２０は、使用者のタッチ位置を認識する。制御部２０は、操作用画像の表示位置とタッチ位置を比較する。制御部２０は使用者が操作した操作用画像を認識する。制御部２０は、使用者の設定操作を認識する。使用者の設定に基づき、制御部２０は、画像読取部２２、印刷部２３、通信部２４を動作させる。例えば、ハードキー２１ｃは、テンキー部やスタートキーである。テンキー部は、数字入力用のキーである。スタートキーはジョブ開始指示用のキーである。ハードキー２１ｃも使用者の操作を受け付ける。
【００３２】
操作パネル２１は、ジョブの種類の選択を受け付ける。使用者は、操作パネル２１で実行するジョブの種類を選択できる。ジョブの種類には、例えば、コピージョブ、スキャン送信ジョブ、スキャン保存ジョブ、メモリー接続印刷ジョブがある。選択されたジョブの種類に対して、複数の設定項目が設けられる。例えば、コピージョブに関し、印刷に用いる用紙サイズや、拡大縮小の倍率のような設定項目が設けられる。このように、操作パネル２１は、設定項目の選択を受け付ける。
【００３３】
また、操作パネル２１は選択された設定項目の設定値の設定を受け付ける。例えば、用紙サイズの設定項目については、使用する用紙サイズを設定値として設定することができる（例えば、レターサイズ）。拡大縮小の設定項目については、倍率を設定値として設定することができる。スキャン送信やスキャン保存ジョブでは、原稿の画像データの送信先（保存先）の設定値の設定が必要である。
【００３４】
印刷部２３は、例えば、給紙部２３ａ、用紙搬送部２３ｂ、画像形成部２３ｃ、定着部２３ｄを含む。印刷を伴うジョブのとき、制御部２０は、画像データに基づく印刷を印刷部２３に実行させる。制御部２０は用紙を給紙部２３ａに供給させる。制御部２０は用紙を用紙搬送部２３ｂに搬送させる。制御部２０は画像形成部２３ｃにトナー像を形成させる。制御部２０は、形成されたトナー像の用紙への転写を画像形成部２３ｃに行わせる。制御部２０は、トナー像の用紙への定着を定着部２３ｄに行わせる。
【００３５】
通信部２４は、ネットワークを介し、コンピューター３００と通信できる。通信部２４はコンピューター３００から送信された印刷用データを受信する。制御部２０は、受信した印刷用データに基づき、印刷部２３に印刷させる。
【００３６】
また、通信部２４は、近距離無線通信により、無線通信部１９（携帯通信装置１）と通信を行える。例えば、通信部２４は、Ｗｉ−Ｆｉの規格に基づき、無線通信部１９と通信できる。また、通信部２４は、Ｂｌｕｅｔｏｏｔｈの規格に基づき、無線通信部１９と通信を行ってもよい。通信部２４は、規格に基づく通信を行うためのハードウェア（通信回路）、通信ソフトウェアを備える。
【００３７】
メモリーインターフェイス２５は、携帯型メモリーを画像形成装置２に接続するための回路である。メモリーインターフェイス２５は、携帯型メモリーと通信するためのソケット、端子、通信回路、通信ソフトウェアを含む。制御部２０は、メモリーインターフェイス２５に接続された携帯型メモリーからデータを読み出すことができる。制御部２０は、読み出したデータに基づく印刷を印刷部２３に行わせる（メモリー接続印刷ジョブ）。
【００３８】
画像形成装置２は、カメラ２６を含む。カメラ２６は１台でもよいし、複数台でもよい。制御部２０は、画像形成装置２に近づく携帯者をカメラ２６に撮像させる。カメラ２６、レンズは、画像形成装置２に近づく携帯者を撮影できるように設けられる。カメラ２６は、レンズ、イメージセンサー、撮像データ生成回路を含む。
【００３９】
イメージセンサーは、２次元的に配列された複数の受光素子を含む。イメージセンサーの各受光素子は、受光量に応じた大きさのアナログ信号（電荷）を出力する。例えば、イメージセンサーは、Ｒ、Ｇ、Ｂの色成分のアナログ信号を出力する。撮像データ生成回路は、イメージセンサーから出力されるアナログ信号を処理する。撮像データ生成回路は、処理後のアナログ信号をＡ／Ｄ変換する。撮像データ生成回路は、撮像データ（ディジタルデータ）を出力する。
【００４０】
撮像データは、画像データの一種である。制御部２０（画像処理部２０ｂ）は、撮像データに基づき、携帯者の所持物を判別する。まず、制御部２０は各撮像データ中の移動物体部分を認識する。携帯者が画像形成装置２に近づく場合、携帯者はカメラ２６にも近づいていることになる。携帯者が画像形成装置２に近づいている場合、撮像データ内での携帯者の大きさが変化する。複数枚の撮像データを比較することにより、移動物体部分を認識することができる。
【００４１】
移動物体部分を認識するため、制御部２０は、所定の時間間隔で複数回、撮像させる。撮像回数は予め定められてもよい。これにより、複数枚の撮像データが得られる。制御部２０は、複数枚の撮像データをそれぞれ比較する。制御部２０は、撮像データごとに、変化している画素領域を判定する。制御部２０は、変化している画素領域を移動物体部分と判定する。
【００４２】
次に、制御部２０は、移動物体部分と判定した画素領域のうち、肌色画素領域を認識する。制御部２０は、撮像データごとに肌色画素領域を認識する。肌色と扱う画素値は予め定められる。制御部２０は、撮像データごとに、認識した肌色画素領域のうち、手の部分を判定する。携帯者を撮影した場合、通常、顔と手の部分が肌色画素領域と判定される。通常、撮像データにおいて、顔の肌色画素領域は、一番上に位置する。そこで、例えば、制御部２０は、一番上ではない肌色画素領域を手の部分と判定する。
【００４３】
制御部２０は、各撮像データにおいて、手の肌色画素領域の近傍の画素を確認する。複数又は全ての撮像データにおいて、手の近傍に一定の白色領域が撮像されているとき、制御部２０は、携帯者は紙を持っていると判定する。複数又は全ての撮像データにおいて、手の近傍にスティック状又はカード状の同色領域が撮像されているとき、制御部２０は、ＵＳＢメモリーやメモリーカードのような携帯型メモリーを所持していると判定する。紙を持っていると判定できず、かつ、携帯型メモリーを所持しているとも判定できないとき、制御部２０は、所持物なし、又は、不明と判定する。
【００４４】
（移動履歴データ３の記憶）
次に、図４、図５を用いて、実施形態に係る携帯通信装置１での移動履歴データ３の記憶を説明する。図４は、実施形態に係る移動履歴データ３の記憶の一例を説明するための図である。図５は、実施形態に係る携帯通信装置１での移動履歴データ３の記憶の一例を示す図である。
【００４５】
図４、図５を用いて、オフィスでの移動履歴データ３の記憶を説明する。図４のうち、中央上側の図は、画像形成装置２を示す。図４のうち、中央下側の図は、携帯者の勤務場所（机）を示す。図４のうち、右側の図は、携帯者の上司の勤務場所を示す。図４のうち、左側の図は、資料、文書が収められた倉庫（書庫）である。なお、以下の説明では、オフィス内での携帯者の移動について説明する。しかし、移動履歴データ３の記憶は、オフィス外で移動する場合にも行われる。
【００４６】
また、図４のうち、アルファベットの大文字を含む丸印は、アクセスポイントを示す。言い換えると、アルファベットの大文字を含む丸印は、Ｗｉ−Ｆｉの規格に基づく無線機器２００である。アクセスポイントには、無線ローカルネットワークを構築するための無線機器２００が設置される。例えば、アクセスポイントは、天井に設置される。また、図４のうち、アルファベットの小文字を含む四角形は、室内に設置されたＢｌｕｅｔｏｏｔｈの規格に基づく無線機器２００を示す。また、図４のうち、画像形成装置２も無線機器２００の一種である。
【００４７】
第１記憶部１１（携帯通信装置１）は、携帯者の移動の履歴を示す移動履歴データ３を記憶する。携帯通信装置１では、自動設定アプリケーション１１ａが起動されている。処理部１０は、自動設定アプリケーション１１ａに基づき、移動履歴データ３を記憶させる。具体的に、携帯者の移動に伴い、携帯通信装置１が無線機器２００の通信可能エリアに新たに入ることがある。このとき処理部１０は、新たに通信可能になった無線機器２００との通信を無線通信部１９に行わせる。処理部１０は、新たに通信可能になった無線機器２００を認識する。処理部１０は、無線機器２００の識別用情報を無線通信部１９に取得させる。処理部１０は、取得順に（時系列で）識別用情報を並べたデータを移動履歴データ３として第１記憶部１１に記憶させる。
【００４８】
また、画像形成装置２の識別用情報は、自動設定アプリケーション１１ａを用いて、第１記憶部１１に登録することができる。処理部１０は、画像形成装置２の識別用情報を新たに取得したことにより、画像形成装置２に近づいたことを認識できる。
【００４９】
例えば、処理部１０は、無線機器２００のＭＡＣアドレスを識別用情報として、無線通信部１９に取得させる。なお、処理部１０は、ＭＡＣアドレス以外の識別用情報を無線通信部１９に取得させてもよい。例えば、処理部１０はＳＳＩＤのようなＩＤ情報を取得してもよい。
【００５０】
例えば、図４において、書庫で書類、資料を取りだした後、画像形成装置２でコピーする場合を考える。この場合、無線通信部１９は、無線機器２００Ａ、無線機器２００ａ、無線機器２００Ｃ、無線機器２００ｃ、画像形成装置２の順に通信可能になる。処理部１０は、新たな無線機器２００の通信可能エリアに入るたびに、識別用情報を無線通信部１９に取得させる。識別用情報を取得するたびに、処理部１０は、新たに取得した識別用情報の移動履歴データ３への追加（更新）を第１記憶部１１に行わせる。その結果、携帯者の移動により、無線機器２００Ａの識別用情報、無線機器２００ａの識別用情報、無線機器２００Ｃの識別用情報、無線機器２００ｃの識別用情報、画像形成装置２の識別用情報の順に記述された移動履歴データ３が第１記憶部１１に記憶される。
【００５１】
例えば、上司がサインした書類を読み取って、スキャン保存ジョブを実行する場合を考える。このとき、携帯者は、勤務場所（机）から上司の机に向かう。上司のサインを得た後、携帯者は、画像形成装置２に向かう。携帯者の移動経路は、勤務場所（自分の机）→上司の机→画像形成装置２となる。見方を変えると、移動経路が、勤務場所（自分の机）→上司の机→画像形成装置２の場合、スキャン保存ジョブを実行する可能性が高いと推測できる。つまり、特定のジョブを実行する前に、携帯者が一定の移動を行うことがある。
【００５２】
また、業務において、書類の扱いが定められている場合がある。例えば、上司がサインした書類の画像データの保存先が定められることがある。この場合、スキャン保存ジョブでは、特定のフォルダ（保存先、宛先）が設定値として設定される。また、保存する画像データのファイル形式が定められることもある。この場合、スキャン保存ジョブでは、特定のファイル形式が設定値として設定される。移動パターンに応じて、設定すべき設定値が一定である場合がある。
【００５３】
そこで、画像形成システム１００では、画像形成装置２に到るまでの移動経路と、移動経路に対してよく実行されているジョブの種類、よく設定されている設定値を学習する。学習のため、処理部１０は、設定情報４を第１記憶部１１（携帯通信装置１）に記憶する。設定情報４は、経路データ４１と設定値データ４２を組み合わせたデータである。経路データ４１は、携帯者がジョブを実行したときに画像形成装置２に到達するまでの移動経路を示す。設定値データ４２は、実行されたジョブの種類と各設定項目の設定値を示す。処理部１０は、経路データ４１と設定値データ４２に基づき、画像形成装置２を設定する（詳細は後述）。
【００５４】
（設定情報４の蓄積）
次に、図５、図６を用いて、実施形態に係る画像形成システム１００での設定情報４の蓄積の一例を説明する。図６は、実施形態に係る画像形成システム１００での設定情報４の蓄積の流れの一例を示す図である。
【００５５】
移動経路に対応するジョブの種類、設定値を学習するため、処理部１０は、設定情報４を第１記憶部１１に蓄積させる。第１記憶部１１は複数の設定情報４を不揮発的に記憶できる。図５、図６を用いて、設定情報４の蓄積の流れの一例を説明する。
【００５６】
図６のスタートは、携帯者が、画像形成装置２に近づき、画像形成装置２にジョブの実行を開始させた時点である。ここで、ジョブの実行前、携帯者は、必要な設定項目の選択と設定値の設定を行っている。また、携帯通信装置１では、自動設定アプリケーション１１ａが起動されている。処理部１０は、自動設定アプリケーション１１ａに基づき、設定情報４を蓄積するための処理を行う。
【００５７】
画像形成装置２の第２記憶部２０ｃは、ジョブ設定値データＤ１を記憶する（図３参照）。例えば、制御部２０は、ＲＡＭの特定の領域にジョブ設定値データＤ１を記憶させる。ジョブ設定値データＤ１は、現在の設定値を示すデータである。制御部２０は、選択されたジョブの種類に対応する各設定項目の設定値の全てをジョブ設定値データＤ１として記憶させる。
【００５８】
ここで、第２記憶部２０ｃは、デフォルト設定値データＤ２を不揮発的に記憶する。デフォルト設定値データＤ２は、各設定項目のデフォルトの設定値を定めたデータである。ジョブの種類が選択されたとき、制御部２０は、デフォルト設定値データＤ２を読み出す。そして、制御部２０は、読み出したデータをジョブ設定値データＤ１とする。設定開始当初、全ての設定項目の設定値はデフォルト値とされる。携帯者は、所望の結果が得られるように、設定値を変更する。例えば、両面印刷はデフォルトでは、無効とされる。両面印刷を行うとき、携帯者は、両面印刷機能の設定値を有効に変更する。設定値が変更されたとき、制御部２０は、ジョブ設定値データＤ１を更新する。制御部２０は、変更された設定値をジョブ設定値データＤ１に書き込む。
【００５９】
全ての設定値が所望の設定値となっているとき、携帯者は、ジョブの実行開始指示を行う。例えば、携帯者は操作パネル２１のスタートキーを操作する。操作パネル２１は、ジョブの実行開始指示を受け付ける。これにより、画像形成装置２（制御部２０）は、ジョブの実行を開始する。
【００６０】
制御部２０（画像形成装置２）は、携帯通信装置１（無線通信部１９）に向けて、ジョブ設定値データＤ１を通信部２４に送信させる（ステップ♯１１）。この場合、ジョブ設定値データＤ１は、実行されたジョブの各設定項目の設定値を示すデータである。また、制御部２０は、実行されたジョブの種類を示すデータをジョブ設定値データＤ１に含める。無線通信部１９は、ジョブ設定値データＤ１を受信する（ステップ♯１２）。携帯者が操作パネル２１にジョブの実行指示を行ったということは、携帯者（携帯通信装置１）は、画像形成装置２の近くにいる。つまり、携帯通信装置１は、画像形成装置２と通信可能な状態である。
【００６１】
ジョブ実行開始時、たまたま、ジョブ実行者ではない者が画像形成装置２の近くを通過することがある。そこで、ジョブ設定値データＤ１を受信したとき、処理部１０は、受信したジョブ設定値データＤ１が自機宛てのデータか否かを確認してもよい。
【００６２】
画像形成装置２との通信可能になった後、通信可能な状態のままジョブ設定値データＤ１を受信したとき、処理部１０は、設定値データ４２が自機宛てと判定してもよい。ジョブ設定値データＤ１が自機宛てでないと判定した場合、処理部１０は、受信したジョブ設定値データＤ１を破棄する。
【００６３】
また、制御部２０は、通信部２４と無線通信可能な携帯通信装置１の識別用情報を取得する。言い換えると、制御部２０は、通信部２４の通信可能エリアに入った携帯通信装置１の識別用情報を取得する。また、制御部２０は、携帯通信装置１が通信可能エリア内にいる間、周期的に識別用情報を取得する。
【００６４】
そこで、通信部２４の通信可能エリアに携帯通信装置１が１つのみ存在している場合、制御部２０は、通信可能エリア内の携帯通信装置１をジョブ実行者が所持する携帯通信装置１と判定する。通信部２４の通信可能エリアに携帯通信装置１が複数存在している場合、制御部２０は、通信可能エリア内にいる時間が最も長い携帯通信装置１をジョブ実行者が所持する携帯通信装置１と判定する。他のアルゴリズムにより、ジョブ実行者が所持する携帯通信装置１を判定してもよい。
【００６５】
そして、制御部２０は、ジョブ実行者が所持すると判定した携帯通信装置１の識別用情報を、宛先を示すデータとして通信部２４に送信させてもよい。ジョブ設定値データＤ１に付された識別用情報が自機のものと一致するとき、処理部１０は、受信したジョブ設定値データＤ１が自機宛てと判定してもよい。
【００６６】
ジョブ設定値データＤ１を受信したとき、携帯通信装置１の処理部１０は、現在経路データを確認する（ステップ♯１３）。現在経路データは画像形成装置２と通信可能になるまでの携帯者の移動経路を示すデータである。現在経路データは移動履歴データ３に基づくデータである。画像形成装置２の識別用情報は第１記憶部１１に予め登録されている。
【００６７】
処理部１０は現在経路データを生成する。処理部１０は、移動履歴データ３から、連続する所定台数分の無線機器２００の識別用情報を現在経路データとして抜き出す。所定台数は適宜定められる。例えば、所定台数は、数台〜十数台とすることができる。現在経路データのうち、時系列的に最後の識別用情報は、画像形成装置２よりも１台前に通信可能になった無線機器２００である。
【００６８】
例えば、移動履歴データ３において、識別用情報が無線機器２００Ａ→無線機器２００ａ→無線機器２００Ｃ→無線機器２００ｃ→画像形成装置２の順番で記憶されているとする。所定台数が３台の場合、処理部１０は、無線機器２００ａの識別用情報＋無線機器２００Ｃの識別用情報＋無線機器２００ｃの識別用情報を現在経路データと扱う。
【００６９】
次に、処理部１０は、第１記憶部１１が同一情報を記憶しているか否かを確認する（ステップ♯１４）。同一情報は、現在経路データと経路データ４１が同じであり、かつ、受信したジョブ設定値データＤ１と設定値データ４２が同じ設定情報４である。ステップ♯１４では、今回実行されたジョブと同じ移動経路、同じの設定値のジョブが過去に実行されたか否かが確認される。
【００７０】
同一情報を記憶していないとき（ステップ♯１４のＮｏ）、処理部１０（携帯通信装置１）は、現在経路データを経路データ４１とし、受信したジョブ設定値データＤ１を設定値データ４２とする設定情報４を第１記憶部１１に新たに記憶させる（ステップ♯１５）。そして、本フローは終了する（エンド）。これにより、携帯者の移動パターンと、移動パターンに対応するジョブの設定値が蓄積される。
【００７１】
同一情報を記憶しているとき（ステップ♯１４のＹｅｓ）、処理部１０（携帯通信装置１）は、同一情報の使用頻度値４３を加算する（ステップ♯１６）。そして、本フローは終了する（エンド）。各設定情報４は、使用頻度値４３を含む。例えば、処理部１０は、同一情報と判定した設定情報４の使用頻度値４３に１を加算する。使用頻度値４３により、ある移動経路に対応してよく用いられる設定値の組み合わせを学習することができる。
【００７２】
（携帯通信装置１から画像形成装置２への設定値データ４２の送信）
次に、図７を用いて、実施形態に係る携帯通信装置１から画像形成装置２への設定値データ４２の送信の流れの一例を説明する。図７は、実施形態に係る携帯通信装置１から画像形成装置２への設定値データ４２の送信の流れの一例を示すフローチャートである。
【００７３】
画像形成装置２にジョブを実行させたいとき、携帯者は画像形成装置２に近づく。図７のスタートは、携帯通信装置１が画像形成装置２と通信可能になった時点である。言い換えると、画像形成装置２の通信可能エリアに携帯通信装置１が入った時点である。また、携帯通信装置１では、自動設定アプリケーション１１ａが起動されている。処理部１０は、自動設定アプリケーション１１ａに基づき、設定値データ４２を送信する。
【００７４】
携帯者が画像形成装置２に近づき、画像形成装置２と通信可能になったとき、処理部１０は、現在経路データを確認する（ステップ♯２１）。そして、処理部１０は、第１記憶部１１が記憶する設定情報４のうち、経路データ４１が現在経路データと同じ設定情報４を抽出する（ステップ♯２２）。
【００７５】
そして、処理部１０は、抽出された設定情報４が複数であるか否かを確認する（ステップ♯２３）。抽出された設定情報４が１つのとき（ステップ♯２３のＮｏ）、処理部１０は、画像形成装置２（通信部２４）に向けて、抽出した設定情報４に含まれる設定値データ４２を無線通信部１９に送信させる（ステップ♯２４）。そして、本フローは終了する（エンド）。
【００７６】
抽出された設定情報４が複数のとき（ステップ♯２３のＮｏ）、処理部１０は、画像形成装置２（通信部２４）に向けて、抽出したそれぞれの設定情報４に含まれる設定値データ４２を無線通信部１９に送信させる（ステップ♯２５）。つまり、処理部１０は、複数の設定値データ４２を送信させる。なお、処理部１０は、設定値データ４２とともに、使用頻度値４３も送信させる。そして、本フローは終了する（エンド）。
【００７７】
なお、処理部１０は、複数の設定情報４を抽出したとき、設定情報４のうち、最も使用頻度値４３が大きい設定情報４の設定値データ４２のみを送信してもよい。最も使用頻度値４３が大きい設定情報４が複数ある場合、処理部１０は、複数の設定値データ４２を画像形成装置２に送信する。また、１つの設定値データ４２のみを画像形成装置２に送信する場合もあり得る（最も使用頻度値４３が大きい設定情報４が１つの場合）。
【００７８】
また、処理部１０は、複数の設定情報４を抽出したとき、使用頻度値４３が大きいものから順に、予め定められた個数の設定情報４を選択してもよい。そして、処理部１０は、選択した設定情報４に含まれる設定値データ４２を無線通信部１９に送信させてもよい。また、処理部１０は、抽出した設定情報４のうち、使用頻度値４３が所定値未満の設定情報４については、設定値データ４２を送信しないようにしてもよい。
【００７９】
（設定値データ４２に基づく設定値の設定）
次に、図８、図９を用いて、実施形態に係る画像形成装置２の設定値データ４２の受信時の処理の流れの一例を説明する。図８は、実施形態に係る画像形成装置２の設定値データ４２の受信時の処理の流れの一例を示す図である。図９は、実施形態に係る設定値データ選択画面５１の一例を示す図である。
【００８０】
図８のスタートは、画像形成装置２（通信部２４）が通信可能となった携帯通信装置１（無線通信部１９）から設定値データ４２を受信した時点である。まず、制御部２０は、画像形成装置２に向かって近づいている携帯者をカメラ２６に撮像させる（ステップ♯３１）。そして、撮像で得られた撮像データに基づき、制御部２０は、所持物を判定する（ステップ♯３２）。
【００８１】
続いて、制御部２０は、複数の設定値データ４２を受信したか否かを確認する（ステップ♯３３）。受信した設定値データ４２が１つのとき（ステップ♯３３のＮｏ）、制御部２０（画像形成装置２）は、受信した設定値データ４２に基づき、各設定項目の設定値を設定する（ステップ♯３４）。具体的に、制御部２０は、第２記憶部２０ｃのジョブ設定値データＤ１を書き換える。制御部２０は、受信した設定値データ４２をジョブ設定値データＤ１の記憶領域に書き込む。これにより、以前に実行したジョブの設定状態が再現される。そして、制御部２０は、設定画面を表示パネル２１ａに表示させる（ステップ♯３５→エンド）。
【００８２】
制御部２０は、受信した設定値データ４２に対応するジョブの種類の設定画面を表示パネル２１ａに表示させる。例えば、受信した設定値データ４２がコピージョブの設定値データ４２のとき、制御部２０は、コピージョブの設定画面を表示パネル２１ａに表示させる。また、制御部２０は、受信した設定値データ４２で定義された設定値が反映されている設定画面を表示パネル２１ａに表示させる。なお、どのような設定値が設定されているかを示すため、制御部２０は、デフォルト値と異なる設定値の一覧を表示パネル２１ａに表示させてもよい。これにより、画像形成装置２まで来た携帯者に設定内容を知らせることができる。
【００８３】
受信した設定値データ４２が複数のとき（ステップ♯３３のＹｅｓ）、制御部２０は、設定値データ４２の順番を定める（ステップ♯３６）。使用頻度値４３に基づき、制御部２０は、設定値データ４２の順番を定める。制御部２０は、受信した設定値データ４２のうち、使用頻度値４３が大きい設定値データ４２ほど、順番を前にする。
【００８４】
使用頻度値４３が同じ設定値データ４２を複数受信することがある。この場合、制御部２０は、判定した所持物に基づき、設定値データ４２の順番を定める。紙を所持していると判定した場合、制御部２０は、原稿を読み取らないジョブよりも、原稿を読み取るジョブの順番を前にする。原稿を読み取るジョブには、例えば、コピージョブ、スキャン送信ジョブ、スキャン保存ジョブがある。原稿を読み取らないジョブには、メモリー接続印刷ジョブがある。例えば、コピージョブとメモリー接続印刷ジョブの設定値データ４２の使用頻度値４３が同じ場合、コピージョブの設定値データ４２の順番を前にする。
【００８５】
また、携帯型メモリーを所持していると判定した場合、制御部２０は、携帯型メモリーを用いないジョブよりも、携帯型メモリーを用いるジョブの順番を前にする。携帯型メモリーを用いるジョブには、メモリー接続印刷ジョブがある。例えば、コピージョブとメモリー接続印刷ジョブの設定値データ４２の使用頻度値４３が同じ場合、メモリー接続印刷ジョブの順番を前にする。
【００８６】
なお、紙を所持していると判定できず、かつ、携帯型メモリーを所持していると判定できないとき、制御部２０は、使用頻度値４３が同じ設定値データ４２については、受信順に基づき、順番を設定する。
【００８７】
また、複数の設定値データ４２を受信したとき、制御部２０は、判定した所持物に基づき、最初に設定値データ４２を仕分けてもよい。紙を所持していると判定した場合、制御部２０は、原稿を読み取るジョブの設定値データ４２を優先する設定値データ４２と扱う。また、制御部２０は、原稿を読み取らないジョブの設定値データ４２を優先しない設定値データ４２と扱う。携帯型メモリーを所持していると判定した場合、制御部２０は、携帯型メモリーを用いるジョブの設定値データ４２を優先する設定値データ４２と扱う。また、制御部２０は、携帯型メモリーを用いないジョブの設定値データ４２を優先しない設定値データ４２と扱う。
【００８８】
制御部２０は、優先する設定値データ４２の順番を、優先しない設定値データ４２よりも前にする。更に、制御部２０は、優先する設定値データ４２のうち、使用頻度値４３が大きいものほど前の順番にする。優先する設定値データ４２がｎ個のとき、制御部２０は、優先する設定値データ４２に１番からｎ番までの順番を付す。優先しない設定値データ４２については、制御部２０は、（ｎ＋１）番以降の何れかの順番を付す。制御部２０は、優先しない設定値データ４２のうち使用頻度値４３が大きいものほど前の順番にする。
【００８９】
制御部２０（画像形成装置２）は、設定値データ選択画面５１を表示パネル２１ａに表示させる（ステップ♯３７）。図９は設定値データ選択画面５１の一例を示す。設定値データ４２は、携帯者に使用する設定値データ４２を選択させるための画面である。
【００９０】
設定値データ選択画面５１は、複数の領域に分割される。図９の例では、複数に分割した領域のうち、２つの領域が選択用領域５２とされる。選択用領域５２は、設定値データ４２を選択するための領域である。選択用領域５２の数は、２つに限られない。３つ以上でもよい。
【００９１】
制御部２０は、順番が先頭と２番目の設定値データ４２を選択する。制御部２０は、選択用領域５２の数と同じ数の設定値データ４２を選択する。制御部２０は、順番が前のものから複数の設定値データ４２を選択する。制御部２０は、選択した設定値データ４２の１つに対し、１つの選択用領域５２を割り当てる。制御部２０は、対応する設定値データ４２の内容を選択用領域５２の内部に表示させる。図９は、選択用領域５２の内側に、ジョブの種類や、デフォルト値と異なる設定項目名と設定値を表示させる例を示す。
【００９２】
使用者（携帯者）は、使用したい設定値データ４２に対応する選択用領域５２に触れる。操作パネル２１は、設定値データ４２の選択を受け付ける。タッチパネル１３の出力に基づき、制御部２０は、選択された設定値データ４２を認識する。これにより、移動経路（移動パターン）に対し、よく設定する設定値のパターンが複数あるとき、所望の設定値データ４２を選択することができる。
【００９３】
そして、操作パネル２１で選択された設定値データ４２に基づき、制御部２０（画像形成装置２）は、各設定項目の設定値を設定する（ステップ♯３８）。そして、制御部２０は、設定画面を表示パネル２１ａに表示させる（ステップ♯３９→エンド）。ステップ♯３８、ステップ♯３９は、ステップ♯３４、ステップ♯３５と同様である。
【００９４】
ステップ♯３４、ステップ♯３８の設定の後、所望の設定値が設定されていれば、直ちにジョブを開始することができる。携帯者は、直ちにスタートキーを操作すればよい。設定値の変更が必要であるとき、携帯者は、操作パネル２１で設定値を設定する。携帯者は、設定完了後、スタートキーを操作する。
【００９５】
（使用する設定値データ４２の切替）
次に、図１０を用いて、使用する設定値データ４２の切替の一例を説明する。図１０は、実施形態に係る設定値データ４２の切替の一例を示す図である。
【００９６】
受信した設定値データ４２を選択したものの、他の設定値データ４２に基づき、設定したい場合がある。画像形成装置２では、使用する設定値データ４２を切り替えることができる。使用する設定値データ４２を切り替えるとき、携帯者は、切替操作を行う。操作パネル２１は、切替操作を受け付ける。どのような操作を切替操作と扱うかは、適宜定めることができる。図１０は、設定画面のうち、背景領域（操作用画像がない領域）をタッチしたままタッチ位置をスライド移動させる操作（フリック操作又はスワイプ操作）を切替操作と扱う例を示している。
【００９７】
そして、予め定められた第１方向にタッチ位置が移動するように切替操作がなされたとき、制御部２０は、現在選択している設定値データ４２の次の順番の設定値データ４２を新たに選択する。順番は、複数の設定値データ４２を受信したとき、制御部２０が定めている（図８のステップ♯３４）。第２方向にタッチ位置が移動するように切替操作がなされたとき、制御部２０は、現在選択している設定値データ４２の１つ前の順番の設定値データ４２を新たに選択する。
【００９８】
第２方向は、第１方向と反対の方向である。第１方向は適宜定められる。例えば、第１方向は、左方向とできる。この場合、第２方向は右方向となる。第１方向は下方向としてもよい。この場合、第２方向は上方向となる。
【００９９】
切替操作により新たな設定値データ４２を選択したとき、制御部２０は、新たに選択された設定値データ４２に基づき、各設定項目の設定値を設定する。制御部２０は、新たに選択された設定値データ４２をジョブ設定値データＤ１と扱う。そして、制御部２０は、表示パネル２１ａに表示される画面を変更する。制御部２０は、新たに選択した設定値データ４２に対応するジョブの種類の設定画面を表示パネル２１ａに表示させる。また、制御部２０は、新たに選択した設定値データ４２で定義された設定値が反映されている設定画面を表示パネル２１ａに表示させる。制御部２０は、デフォルト値と異なる設定値の一覧を一定時間、表示パネル２１ａに表示させてもよい。
【０１００】
図１０は、切替操作による設定値と設定画面の変化の一例を示す。図１０のうち、上側の図は、切替操作前の設定画面の一例を示す。図１０の下側の図は、新たに選択された設定値データ４２に基づき表示内容が変更された設定画面の一例を示す。
【０１０１】
特定の設定値を組み合わせてジョブを実行するとき、画像形成装置２に到る前に、携帯者が決まった行動（移動）を行っている場合がある。例えば、書類に上司にサインをもらい、サイン済の書類をコピーする場合、自己のデスク→上司のデスク→画像形成装置２というルートで移動する。そして、サイン済の書類をコピーするとき、画像形成装置２で設定すべき設定値が決められている場合がある。移動経路により、使用者が所望する設定値を予測できる場合がある。
【０１０２】
そこで、実施形態に係る画像形成システム１００は、携帯通信装置１と画像形成装置２を含む。携帯通信装置１は、携帯通信装置１の携帯者の移動の履歴を示す移動履歴データ３と設定情報４を記憶する。設定情報４は、経路データ４１と設定値データ４２を組み合わせたデータである。経路データ４１は、画像形成装置２で携帯者が画像形成装置２に到達するまでの移動経路を示す。設定値データ４２は、ジョブの各設定項目の設定値を示す。携帯通信装置１は、無線により画像形成装置２と通信する。携帯者が画像形成装置２に近づいたことにより、画像形成装置２との通信可能エリアに入ったとき、携帯通信装置１は、移動履歴データ３に基づき、画像形成装置２と通信可能になるまでの携帯者の移動経路を示す現在経路データを確認する。携帯通信装置１は、記憶する設定情報４のうち、経路データ４１が現在経路データと同じ設定情報４を抽出する。携帯通信装置１は、抽出した設定情報４に含まれる設定値データ４２を画像形成装置２に送信する。携帯通信装置１は、送信した設定値データ４２に基づき、各設定項目の設定値を画像形成装置２に設定させる。
【０１０３】
これにより、携帯者の移動経路（行動パターン）に対応する設定値を自動的に設定することができる。画像形成装置２に到るまでの移動経路に基づき、携帯者が設定したい可能性が高い設定値を自動的に設定することができる。設定操作を行わずにジョブを開始できる確率が高くなるように、画像形成装置２の設定値を自動的に設定することができる。
【０１０４】
また、設定値データ４２の受信後、ジョブが実行されたとき、画像形成装置２は、携帯通信装置１に向けてジョブ設定値データＤ１を送信する。ジョブ設定値データＤ１は、実行されたジョブの各設定項目の設定値を示すデータである。携帯通信装置１は、ジョブ設定値データＤ１を受信したとき、現在経路データと経路データ４１が同じであり、かつ、受信したジョブ設定値データＤ１と設定値データ４２が同じ設定情報４である同一情報を記憶しているか否かを確認する。携帯通信装置１は、同一情報を記憶しているとき、同一情報の使用頻度値４３を加算する。画像形成装置２と通信可能になったとき、携帯通信装置１は、抽出した設定情報４のそれぞれの使用頻度値４３を画像形成装置２に送信する。携帯通信装置１は、使用頻度値４３が最大の設定値データ４２に基づき、各設定項目の設定値を画像形成装置２に設定させる。
【０１０５】
これにより、携帯者の移動経路（行動パターン）に対応する設定値データ４２のうち、最も使用頻度が高い設定値の組み合わせで、画像形成装置２を自動的に設定することができる。携帯者の行動を学習し、移動経路にあわせた設定値を自動的に設定することができる。画像形成装置２を、使用頻度が大きい設定値が設定された状態に自動的にすることができる。画像形成装置２で設定操作を行わずにジョブを開始できる確率が高くなるように、設定値を自動的に設定することができる。
【０１０６】
また、同一情報が記憶されていないとき、携帯通信装置１は、現在経路データを経路データ４１とし、受信したジョブ設定値データＤ１を設定値データ４２とする設定情報４を新たに記憶する。これにより、新たな移動経路と新たな設定値データ４２の組み合わせ（新たな設定情報４）を自動的に携帯通信装置１に登録することができる。
【０１０７】
また、携帯通信装置１は、現在経路データと経路データ４１が同じ設定情報４を複数記憶しているとき、複数の設定情報４を抽出する。携帯通信装置１は、抽出した複数の設定情報４の設定値データ４２を画像形成装置２に送信する。画像形成装置２は操作パネル２１を含む。画像形成装置２は、複数の設定値データ４２を受信したとき、使用する設定値データ４２を選択するための画面を操作パネル２１に表示させる。画像形成装置２は、操作パネル２１で選択された設定値データ４２に基づき、各設定項目の設定値を設定する。これにより、画像形成装置２に到達した携帯者は、使用する設定値データ４２を選択することができる。設定値データ４２を選択するだけで、所望の設定値を設定することができる。設定値データ４２を選択するだけで、画像形成装置２を、ジョブを直ちに開始できる状態にすることができる。
【０１０８】
また、操作パネル２１は、用いる設定値データ４２を切り替える切替操作を受け付ける。切替操作がなされたとき、画像形成装置２は、切替操作により新たに選択された設定値データ４２に基づき、各設定項目の設定値を設定する。これにより、設定値データ４２の選択を間違えたとき、正しい設定値データ４２に容易に切り替えることができる。所望の設定値データ４２を容易に選択することができる。
【０１０９】
また、操作パネル２１は、選択された設定値データ４２により設定される設定値を表示する。設定値データ４２に基づき設定される設定値を確認することができる。
【０１１０】
また、携帯通信装置１は、携帯者の移動に伴い新たに通信可能になった無線機器２００を認識する。携帯通信装置１は、新たに通信可能になった無線機器２００と通信する。携帯通信装置１は無線機器２００の識別用情報を取得する。取得順に識別用情報を並べたデータを移動履歴データ３として記憶する。これにより、記録された識別用情報の並び方に基づき、携帯者の移動経路（行動パターン）を示すことができる。
【０１１１】
また、携帯通信装置１は、記憶部（第１記憶部１１）、無線通信部１９、処理部１０を含む。第１記憶部１１は、携帯通信装置１の携帯者の移動の履歴を示す移動履歴データ３と設定情報４を記憶する。無線通信部１９は、無線により画像形成装置２と通信する。設定情報４は、経路データ４１と設定値データ４２を組み合わせたデータである。経路データ４１は、画像形成装置２で携帯者がジョブを実行したときに画像形成装置２に到達するまでの移動経路を示す。設定値データ４２は、ジョブにおける各設定項目の設定値を示す。処理部１０は、携帯者が画像形成装置２に近づいたことにより、画像形成装置２との通信可能エリアに入ったとき、移動履歴データ３に基づき、通信可能エリアに入るまでの携帯者の移動経路を示す現在経路データを確認する。処理部１０は、記憶する設定情報４のうち、経路データ４１が現在経路データと同じ設定情報４を抽出する。処理部１０は、画像形成装置２にむけて、抽出した設定情報４に含まれる設定値データ４２を無線通信部１９に送信させる。処理部１０は、設定値データ４２に基づき、各設定項目の設定値を画像形成装置２に設定させる。これにより、携帯者の移動経路（行動パターン）に対応する設定値を画像形成装置２に自動的に送信することができる。自動的に設定情報４を抽出し、抽出した設定情報４の設定値データ４２に基づき、画像形成装置２を自動的に設定することができる。設定操作を行わずにジョブを開始できる確率が高くなるように、画像形成装置２の設定値を自動的に設定することができる。
【０１１２】
又、本発明の実施形態を説明したが、本発明の範囲はこれに限定されるものではなく、発明の主旨を逸脱しない範囲で種々の変更を加えて実施することができる。
【産業上の利用可能性】
【０１１３】
本発明は、携帯通信装置、画像形成装置、画像形成システムに利用可能である。
【符号の説明】
【０１１４】
１００  画像形成システム              １      携帯通信装置
１０    処理部                        １１    第１記憶部（記憶部）
１９    無線通信部                    ２      画像形成装置
３      移動履歴データ                ４      設定情報
４１    経路データ                    ４２    設定値データ
４３    使用頻度値                    ２００  無線機器
【図１】
2019046402.tif 000003
【図２】
2019046402.tif 000004
【図３】
2019046402.tif 000005
【図４】
2019046402.tif 000006
【図５】
2019046402.tif 000007
【図６】
2019046402.tif 000008
【図７】
2019046402.tif 000009
【図８】
2019046402.tif 000010
【図９】
2019046402.tif 000011
【図１０】
2019046402.tif 000012